(57)【要約】      （修正有）【課題】一つの錠前で、扉、戸などの開閉体の扉厚に対応することができること。【解決手段】開閉体の厚さ方向に設けられる開閉体用錠前であり、錠前ｘは、一面側に組み込まれると共に内部にダンブラー錠機構Ｔを有するシリンダ錠本体１と、このシリンダ錠本体１の後端面に接続するように他面側に組み込まれると共にダンブラー錠機構Ｔの駆動軸１９に連結する連結軸２６を収納する固定ガイド２と、この固定ガイド２に前記連結軸１９の軸方向に位置変位することができるようにスライド嵌合すると共に、連結軸１９と共働回転するテールピース２７を内装する調整筒３とを備える開閉体用錠前。【選択図】図６
2008019607.tif 000002
【特許請求の範囲】
【請求項１】
開閉体の厚さ方向に設けられる開閉体用錠前であり、該錠前は、一面側に組み込まれると共に内部にダンブラー錠機構を有するシリンダ錠本体と、このシリンダ錠本体の後端面に接続するように開閉体の他面側に組み込まれると共にダンブラー錠機構の駆動軸に連結する連結軸を収納する固定ガイドと、この固定ガイドに前記連結軸の軸方向に位置変位することができるようにスライド嵌合すると共に、連結軸と共働回転するテールピースを内装する調整筒とを備える開閉体用錠前。
【請求項２】
請求項１に於いて、錠前は、開閉体の厚さ方向の一面側から他面側に亘って設けられ、ダンブラー錠機構のテールピースの尾部は開閉体の他面から突出することを特徴とする開閉体用錠前。
【請求項３】
請求項１に於いて、調整筒は、固定ガイドに対して脱着することを特徴とする開閉体用錠前。
【請求項４】
請求項１に於いて、シリンダ錠本体の後端面には、固定ガイドの先端部の形成した係合溝と差し込み係脱する係合腕が形成されていることを特徴とする開閉体用錠前。
【請求項５】
請求項１に於いて、テールピースは、連係手段を介して調整筒に係合しており、調整筒と一緒に位置変位することを特徴とする開閉体用錠前。
【請求項６】
請求項５に於いて、連係手段は、テールピースの外周に形成された係合溝と、調整筒から該係合溝に至ると共に外部から操作可能な可動係合ピンであることを特徴とする開閉体用錠前。
【請求項７】
請求項１に於いて、固定ガイドの先端部内周面は断面段差状に形成され、連結軸の端嵌合部の後端面を受け止める係止部分２５となっていることを特徴とする開閉体用錠前。
【発明の詳細な説明】
【技術分野】
【０００１】
本発明は、動産（例えば遊技機）や不動産（建物）の開閉体（開閉フロント、扉、戸など）用錠前に関し、特に、テールピースにロック片（錠止片）を取付け可能な開閉体用錠前や開閉体に設けた錠前のテールピースが相手側の被係合部材に係合する開閉体用錠前に関する。
【背景技術】
【０００２】
特許文献１には、外側引き違い戸の戸厚に対応する長さの角軸を、戸内に設けた錠部収容ケースに対して軸方向に差込み、かつ、錠部収容ケースに設けた短筒部に抜け止め用係止ピンを差し込む事項が記載されている。この特許文献１に記載の実施例は、一つの錠前を戸厚に対応させることができるというものの、あくまでも、当該外側引き違い戸の戸厚に対応することができるように、長い、短い等の角軸を交換するというものであり、錠前を構成するテールピース（特許文献１では角軸）をそのまま生かすことを前提とするものではない。
【０００３】
ところで、一つ、あるいは一種類の錠前で、扉、戸などの開閉体の扉厚に対応することができる構造ならば、現在発生している色々な問題点を一挙に解消することができる。この問題点に関しては、発明の効果（１）のところで指摘する。なお、特許文献２には、にロータリーディスク型のタンブラー錠の一例が記載されている。
【特許文献１】登録実用新案第３０５１６１１号公報
【特許文献２】特開２００４−１８３４２２号公報
【発明の開示】
【発明が解決しようとする課題】
【０００４】
本発明の初期の目的は、一つの錠前で、扉、戸などの開閉体の扉厚に対応することができることである。その他、開閉体の窓用縦枠や受け具に係合するロック片を容易に取り付けること、各構成部材を合理的に組み合わせること、異なる調整筒と交換することなどの目的は、各従属項に記載の発明の特定要件によってそれぞれ特定される。
【課題を解決するための手段】
【０００５】
本発明の開閉体用錠前は、開閉体の厚さ方向に設けられる開閉体用錠前であり、該錠前は、一面側に組み込まれると共に内部にダンブラー錠機構を有するシリンダ錠本体と、このシリンダ錠本体の後端面に接続するように開閉体の他面側に組み込まれると共にダンブラー錠機構の駆動軸に連結する連結軸を収納する固定ガイドと、この固定ガイドに前記連結軸の軸方向に位置変位することができるようにスライド嵌合すると共に、連結軸と共働回転するテールピースを内装する調整筒とを備えることを特徴とする。
【０００６】
上記構成に於いて、錠前は、開閉体の厚さ方向の一面側から他面側に亘って設けられ、ダンブラー錠機構のテールピースの尾部は開閉体の他面から突出することを特徴とする。また、調整筒は、固定ガイドに対して脱着することを特徴とする。また、シリンダ錠本体の後端面には、固定ガイドの先端部の形成した係合溝と差し込み係脱する係合腕が形成されていることを特徴とする。また、テールピースは、連係手段を介して調整筒に係合しており、調整筒と一緒に位置変位することを特徴とする。さらに、連係手段は、テールピースの外周に形成された係合溝と、調整筒から該係合溝に至ると共に外部から操作可能な可動係合ピンであることを特徴とする。加えて、固定ガイドの先端部内周面は断面段差状に形成され、連結軸の端嵌合部の後端面を受け止める係止部分２５となっていることを特徴とする。
【発明の効果】
【０００７】
（１）開閉体の厚さ方向に設けられる開閉体用錠前に於いて、連結軸の軸方向に位置変位すると共に該連結軸と共働回転するテールピースを内装する調整筒３を、固定ガイド２に対してスライド嵌合したので、一つの錠前を開閉体の厚さに対応させることができる。たとえば、現在、スロットマシン、パチンコ機等の遊技機では、フロントパネルと称される開閉フロント（開閉扉）の扉厚が様々である。そのため、錠前メーカーは各サイズ別の（扉厚にそれぞれ対応する）シリンダ筒を有する錠前を準備ないし提供をしなければならない。そのため、受発注時、端末機に商品記号を間違えて入力してしまうと、その対応に追われるなどの問題が発生している。
【０００８】
一方、需要者（遊技機業界）にとってみても、新台の入れ替えの際に、シリンダ筒のサイズ違い、組み付けのやり直し等により、多大な諸経費がかかってしまうという問題もある。したがって、本発明は、一つの、或いは１種類の錠前を開閉体に組み付けたならば、テールピースを内装する調整筒を連結軸の軸方向へと移動調整可能であるから、開閉体の全長サイズに対応することができ、上記のような様々な問題点を一挙に解決することができる。
【０００９】
（２）請求項２に記載の発明は、ダンブラー錠機構のテールピースが開閉体の他面から突出すので、開閉体の窓用縦枠や受け具に係合するロック片を、テールピースの突出尾部に容易に取り付けることができる。
【００１０】
（３）請求項３に記載の発明は、使用中の調整筒を固定ガイドから取り外し、新しい物やサイズ（長さ）の異なる調整筒と交換することができる。
【００１１】
（４）請求項４に記載の発明は、シリンダ錠本体の後端面に固定ガイドの先端部に形成した係合溝と差し込み係脱する係合腕が形成されているので、固定ガイドはシリンダ錠本体に対して周方向に回転しない。
【００１２】
（５）請求項５に記載の発明は、テールピースは連係手段を介して調整筒に係合しているので、使用中は所定位置で回転する。
【００１３】
（６）請求項６に記載の発明は、テールピースは調整筒と一緒に位置変位するので、連結軸並びに固定ガイドに対する嵌脱が容易である。
【００１４】
（７）請求項７に記載の発明は、固定ガイドの先端部内周面は断面段差状に形成され、連結軸の嵌合部の後端面を受け止める係止部分となっているので、連結軸が軸方向へ移動しない。
【発明を実施するための最良の形態】
【００１５】
以下、図１乃至図１２に示す本発明を実施するための最良の形態（第１実施例）により説明する。
【００１６】
（１）発明の実施の環境
図１と図３は開閉体に内設した発明の実施の環境をそれぞれ示す各概略説明図である。また図２及び図４は開閉体に内設する前の最大全長と最小全長をそれぞれ示す各概略説明図である。まず、図１と図３を参照にして、発明の実施の環境を簡単に説明する。
【００１７】
図１及び図３に於いて、Ｘは開閉体Ｙの厚さ方向の一面ａから他面ｂに亘って設けられた（たとえば内設された）開閉体用錠前である。ここでは、一面ａを遊技機の開閉フロント、建物の扉、引戸などの開閉体Ｙの外面とし、一方、他面ｂを開閉体Ｙの内面とする。したがって、たとえばスロットマシン、パチンコ機等の遊技機の透明ガラスを有する開閉扉の外壁面は一面ａに相当し、これに対して、遊技機の開閉扉の内壁面は他面ｂに相当する。また図１に示した開閉体Ｙは、図３に示した開閉体Ｙ１より厚みがある。
【００１８】
さて、図１及び図３に於いて、１は一面ａ側に組み込まれると共に、内部にダンブラー錠機構Ｔを有するシリンダ錠本体、２はシリンダ錠本体１の後端面１ａに接続するように前記他面ｂ側に組み込まれると共に、ダンブラー錠機構Ｔの駆動軸１９に連結する連結軸２６を収納する固定ガイド、３は固定ガイド２に開閉体Ｙの厚さに対応することができるようにスライド嵌合すると共に、前記連結軸２６と共働回転するテールピース２７を内装する調整筒３である。そして、調整筒３は固定ガイド２の軸方向の単数又は複数の切欠部を介して該固定ガイド２内に組み込まれている。
【００１９】
図１及び図３では、錠前Ｘの調整筒３の後端面が仮想線で示した固定板４に固定されている。固定板４が他面ｂに図示しない固定具を介して取り外し可能に設けられている。また、固定板４は不番の貫通孔を有し、該貫通孔から錠前Ｘのテールピースの後端部が突出している。さらに、使用時、固定板４と調整筒３は不番の固着具を介して一体となる。以下、本発明の特定要件について順次説明するが、細部的な事項は図面及びその説明を割愛する。
【００２０】
（２）シリンダ錠本体１のダンブラー錠機構Ｔ
図２及び図４は、錠前Ｘの外観構成を示している。図２は調整筒３を固定ガイド２に対して矢印Ａ方向へスライドさせた場合の最大全長、一方、図４は逆に前記調整筒３を矢印Ｂ方向へスライドさせて固定ガイド２内に押し込んで場合の最小全長の外観構成をそれぞれ示す。これらの図から明らかなように、錠前Ｘは、色々な開閉体Ｙの扉厚（戸厚）に対応可能である。
【００２１】
図６は錠前Ｘを構成する各部材の分解斜視図であるが、ここでは、図１０乃至図１２を参照にして、シリンダ錠本体１のダンブラー錠機構Ｔを簡単に説明する。このシリンダ錠本体１は、一般に「ロータリーディスク型のタンブラー錠」と称されている。もちろん、シリンダ錠本体１は、「ピンタンブラー型のタンブラー錠」であっても良い。
【００２２】
図１０乃至図１２に於いて、１はシリンダ錠本体（いわば外筒）で、該シリンダ錠本体内にユニット型のダンブラー錠機構Ｔを構成する各部材が一体的に組み込まれている。しかして、１２は複数枚の円盤状仕切り板、１３は各仕切り板１２の間にそれぞれ介在する複数枚のディスク型タンブラー、１４は仕切り板１２及びディスク型タンブラー１３を連結する横軸、１５はタンブラーバネ、１６はタンブラー等のバックアップ横棒（規制棒）、１７はタンブラー１３の逃がし用切欠部に逃げることができるロッキング棒、１８は筒状シリンダ錠本体１の先端部に内装された短筒状のキーガイド（図１０）、１９はシリンダ筒１１の後端部１ａに組み込まれた駆動軸（図１０）である。
【００２３】
図１２で示すように、合鍵Ｋの挿入軸部分（断面箇所）を、不番の前側キーガイドを介してタンブラー１３の鍵挿入窓２０に差し込むと、ユニット型のダンブラー錠機構Ｔはロータリー式に所定量回転可能である。ダンブラー錠機構Ｔが作動すると、その駆動軸１９も回転する（なお、特開２００４−１８３４２２号公報にロータリーディスク型のタンブラー錠の一例が記載されている）。
【００２４】
（３）シリンダ錠本体１の特徴部分
図６を参照にして、シリンダ錠本体１の特徴部分を一つ説明する。本実施例のシリンダ錠本体１は両端開口の筒状体である。しかして、シリンダ錠本体１の後端面１ａには、両手でダンブラー錠機構Ｔの駆動軸１９を隠すようなイメージで、左右一対の係合腕２１が水平状態に延設形成されている。これらの係合腕２１は、たとえばシリンダ錠本体１の曲率にしたがって湾曲状に形成され、固定ガイド２の先端部外面の左右に形成した幅広い係合溝２２にそれぞれ同時に係合する。シリンダ錠本体１の単数又は複数の係合腕２１が、固定ガイド２の単数又は複数の係合溝２２に係合すると、固定ガイド２はシリンダ錠本体１が固定されていることから周方向に回転することができない。
【００２５】
しかし、前記係合腕２１は、前記係合溝２２に軸方向に差込み係合していることから、固定ガイド２はシリンダ錠本体１から外す方向（図２のＡ方向）へ移動可能である。つまり、固定ガイド２は、シリンダ錠本体１から外すことができる。本実施例では、固定ガイド２は、シリンダ錠本体１に対して脱着自在である。
【００２６】
（４）固定ガイド２
固定ガイド２は、シリンダ錠本体１の後端面１ａに接続するように開閉体Ｙ（Ｙ１）の他端面ｂ側に組み込まれる。固定ガイド２が前記後端面１ａに接続した場合には、図２、図４で示すように係合腕２１は係合溝２２に軸方向に差込み係合する。本実施例の固定ガイド２は、シリンダ錠本体１と同様に両体開口の筒状体であるが、シリンダ錠本体１と相違する点は、図６で示すように、先端部外面の左右に幅広い係合溝２２が形成されている点、係合溝２２寄りの部位から後端部まで、水平線上に複数個（実施例では３個）の貫通孔２３がそれぞれ形成されている点、先端部外面の上部等から後端面に至って水平線上に長い案内切欠２４が複数個（実施例では３本）形成されている点、そして、図１０で示すように、先端部内周面が断面段差状に形成され、連結軸の大径状先端嵌合部の後端面を受け止める係止部分２５が環状に周設されている点、後端面に係合腕２１のような突起部分を有しない点である。なお、前記長い案内切欠２４は、たとえば図７で示すように上部に一つと、左右下部に対称的に形成されているが、もちろん、長い案内切欠２４は単数であっても良い。
【００２７】
（５）連結軸とテールピース
まず、連結軸２６はシリンダ錠本体１（ダンブラー錠機構Ｔ）の駆動軸１９に連結される共に、固定ガイド２に直接ないし間接的に収納される。本実施例の連結軸２６は、前述した大径状先端嵌合部２６ａと、該先端嵌合部２６ａの後端面の中央部から後方へ水平状態に延びる角型の後端嵌合軸部２６ｂとから成る。
【００２８】
先端嵌合部２６ａは、角型の駆動軸１９に外嵌合すると共に、その後端面は固定ガイド２の環状係止部分２５に係止される。したがって、連結軸２６は、駆動軸１９が回転すると、所定位置（その場）で共働回転するが、固定ガイド２に阻止され、後方へスライドすることができない。また、前記長杆状の後端嵌合軸部２６ｂは、テールピース２７に嵌挿される。
【００２９】
次に、テールピース２７は、連結軸２６の後端嵌合軸部２６ｂに外嵌合する長い嵌合穴２８を有する筒状嵌合部２７ａと、該嵌合部２７ａの後端面の中央部から後方へと突起状に延びる尾部２７ｂとから成る。前記尾部２７ｂには不番のメネジが形成され、図１０の仮想線で示すように、戸枠の縁部、受け具等に係脱するロック片２９が固定具３０を介して一体的に係着する。
【００３０】
しかして、テールピース２７の前記嵌合部２７ａの先端部には、連係手段を構成する係合溝３１が周設されている。さらに、該係合溝３１の一部には、連係手段を構成する可動係合ピン３２の内端部に入り込むことができる係合小孔３３が形成されている。可動係合ピン３２は調整筒３に設けられ、図７で示すように、常態では、その外端部は固定ガイドの選択的な貫通孔２３に位置し、一方、内端部は調整筒３の先端部に形成した挿入孔３４を貫通してテールピース２７の係合溝３１に至っている。
【００３１】
したがって、テールピース２７は、その場で位置決めされた状態で回転可能であると共に、たとえば左右に位置する２本の可動係合ピン３２を同時に外部から半径内方向へと押し込むことにより、調整筒３と一緒に固定ガイド２から引き抜くこともできる。つまり、テールピース２７は、連係手段（３１、３２）を介して調整筒３に常時係合しており、かつ、連係手段を構成する可動係合ピン３２を固定ガイド２の外部から図示しない操作具を用いて押し込むことにより、調整筒３と一緒に位置変位することも可能である。
【００３２】
（６）調整筒３
調整筒３は、固定ガイド２に開閉体（Ｙ、Ｙ１）の厚さに対応することができるようにスライド嵌合すると共に、固定ガイド２内の所定位置に組み込まれた連結軸２６と共働回転するテールピース２７を内装する。両端開口の調整筒３は、図１０で示すように、望ましくはテールピース２７の筒状嵌合部２７ａの長さと略同一であかるか又は若干短い。本実施例の調整筒３は、固定ガイド２が長い案内切欠２４を３本有していることから、これらに嵌り合う長板状の嵌合突起３６が３本形成されている。図６を基準にすると、調整筒３の外面上部には頭状の嵌合突起３６が１本形成され、一方、調整筒３の外面下部には脚部状の嵌合突起３６が２本形成されている。
【００３３】
また、先端部の外面には、図７で示すように一組の不番の切欠部分が形成され、これらの切欠部分には、不番のフランジを有する可動係合ピン３２の外端部を支持する支持片３７が固着具３８を介して固定されている。なお、３９は可動係合ピン３２に巻装された状態で、該可動係合ピン３２を半径外方向へ付勢するバネである。
【実施例】
【００３４】
発明の実施の形態で示した実施例に於いて、シリンダ錠本体１には、固定手段用の貫通孔を形成し、一方、固定ガイドの外周面の前記貫通孔に対応する部位にネジ孔を形成し、図示しない固着具を介してシリンダ錠本体１と固定ガイド２を一体的に係合することもできる（その構成を加味した実施例２の図面は省略）。
【００３５】
その他、本願発明の目的に新たな目的（たとえば連結軸２６を所定の位置で確実に作動させることができると共に、固定ガイドを介して連結軸２６を一緒にシリンダ錠本体１から簡単に取り外すことなど）を加味し、例えば連結軸の先端部に多面的な係合溝を形成し、該係合溝に係脱する係合ピンを、固定ガイドの外面に固定した第２支持片を介して固定ガイド乃至連結軸に亘って設けることもできる（その構成を加味した実施例３の図面は省略）。
【産業上の利用可能性】
【００３６】
本発明は、主に錠前、建具、遊技機の各業界で利用される。
【図面の簡単な説明】
【００３７】
図１乃至図１２は本発明の第１実施例を示す各説明図。
【図１】開閉体Ｙに内設した発明の実施の環境をそれぞれ示す概略説明図。
【図２】開閉体に内設する前の最大全長を示す概略斜視図（図１の場合）。
【図３】開閉体Ｙ１に内設した発明の実施の環境をそれぞれ示す概略説明図。
【図４】開閉体に内設する前の最小全長を示す概略斜視図（図３の場合）。
【図５】図５（ａ）は最大全長における平面視からの概略説明図。図５（ｂ）は最小全長における平面視からの概略説明図。
【図６】構成部材の分解斜視図。
【図７】要部（可動係合ピンなど）の縦断面概略説明図。
【図８】要部（可動係合ピン）を外部から押し込んで時の縦断面概略説明図。
【図９】錠前を後端面から見た概略説明図。
【図１０】錠前の主たる内部構造を示す概略断面説明図（一部略）。
【図１１】図１０に於いて、調整筒をスライドさせた場合の概略断面説明図（一部略）。
【図１２】シリンダ錠本体の内部構造を示す概略断面説明図。
【符号の説明】
【００３８】
Ｘ…錠前、Ｔ…ダンブラー錠機構、Ｙ、Ｙ１…開閉体、ａ…一面（外面）、ｂ…他面（内面）、Ｋ…鍵、1…シリンダ錠本体、１ａ…後端面、２…固定ガイド、３…調整筒、４…固定板、１２…円盤状仕切り板、１３…ディスク型タンブラー、１４…横軸、１５…タンブラーバネ、１６…バックアップ横棒、１７…ロッキング棒、１８…キーガイド、１９…駆動軸、２０…鍵挿通窓、２１…係合腕、２２…係合溝、２３…貫通孔、２４…長い案内切欠、２５…係止部分、２６…連結軸、２６ａ…先端嵌合部、２６ｂ…後端嵌合軸部、２７…テールピース、２７ａ…筒状嵌合部、２７ｂ…尾部、２８…長い嵌合穴、２９…ロック片、３０…固定具、３１…係合溝、３２…可動係合ピン、３３…係合小孔、３４…挿入孔、３６…嵌合突起、３７…支持片、３８…固着具、３９…バネ。
【図１】
2008019607.tif 000003
【図２】
2008019607.tif 000004
【図３】
2008019607.tif 000005
【図４】
2008019607.tif 000006
【図５】
2008019607.tif 000007
【図６】
2008019607.tif 000008
【図７】
2008019607.tif 000009
【図８】
2008019607.tif 000010
【図９】
2008019607.tif 000011
【図１０】
2008019607.tif 000012
【図１１】
2008019607.tif 000013
【図１２】
2008019607.tif 000014